(57)【要約】【課題】  出力端子に誤って信号が入力された場合でも、周辺回路へのダメージを抑制することが可能なプロジェクタを提供する。【解決手段】  入力端子Ｉｐｊと出力端子Ｏｐｊとの間には、増幅回路Ａｐｊ２と、スイッチＳＷとが直列に接続されている。スイッチＳＷは、制御部１０によってオン（導通）とオフ（切断）とを切り替え可能になっており、スイッチＳＷがオンのとき、入力端子Ｉｐｊに入力した画像信号は、増幅回路Ａｐｊ２によって増幅された後、出力端子Ｏｐｊに伝達される。検波回路２１は、インタフェイス部１３の出力端子Ｏｐｊを往来する信号の有無を検知して、検知結果を制御部１０に伝達し、検波回路２２は、インタフェイス部１３の入力端子Ｉｐｊに入力される信号の有無を検知して、検知結果を制御部１０に伝達する。【選択図】  図２
2006201223.tif 000002
【特許請求の範囲】
【請求項１】
画像データを入力し、前記画像データに応じた画像を投写するプロジェクタであって、  前記画像データを入力する入力端子と、
前記入力端子から入力した前記画像データを外部に出力可能な出力端子と、
前記出力端子に信号が入力されていることを検知する第１の検波回路と、
前記第１の検波回路による検知結果に応じて、前記入力端子と前記出力端子との電気的な接続状態を変更可能なスイッチと、
を備えたことを特徴とするプロジェクタ。
【請求項２】
請求項１に記載のプロジェクタであって、前記入力端子に信号が入力されていることを検知する第２の検波回路を備え、前記スイッチは、前記第１及び第２の検波回路による検知結果に応じて、前記入力端子と前記出力端子との電気的な接続状態を変更することを特徴とするプロジェクタ。
【請求項３】
請求項１又は２に記載のプロジェクタであって、前記第１の検波回路による検知結果に応じた通知を行う通知部を備えたことを特徴とするプロジェクタ。
【発明の詳細な説明】
【技術分野】
【０００１】
本発明は、ケーブルを介して画像信号を入力し、当該画像信号に応じた画像を投写可能なプロジェクタに関する。
【背景技術】
【０００２】
スクリーン等に画像を投写するプロジェクタにおいて、コンピュータ等の画像供給装置からケーブルを介して画像信号を入力するためのコネクタ（入力端子）を備えるとともに、入力した画像信号を外部の画像表示装置等に供給するためのコネクタ（出力端子）を備えるものが知られている（例えば、特許文献１）。これにより、プロジェクタによる投写画像と同一の画像を他のモニタ等に表示させることが可能になっている。
【０００３】
【特許文献１】特開２０００−２５１６０３号公報
【発明の開示】
【発明が解決しようとする課題】
【０００４】
しかしながら、入力端子と出力端子とは、同一形状のコネクタであることが多いため、画像信号を入力するためのケーブルが誤って出力端子に接続されてしまう恐れがある。このとき、物理的には良好に接続されているように見えるため、電子機器の扱いに不慣れなユーザにとって、誤接続であることを認識するのは困難であった。
【０００５】
さらに、入力端子に画像供給装置からの画像信号が入力される一方で、出力端子に他の画像信号が入力されると、異なる２つの画像信号が衝突し、画像供給装置の出力回路や、プロジェクタの入出力回路にダメージを与えてしまう恐れがあった。
【０００６】
本発明は上記問題を鑑みてなされたものであり、その第１の目的は、出力端子に誤って信号が入力された場合に、誤接続であることを容易に認識可能なプロジェクタを提供することにある。本発明の第２の目的は、出力端子に誤って信号が入力された場合でも、周辺回路へのダメージを抑制することが可能なプロジェクタを提供することにある。
【課題を解決するための手段】
【０００７】
本発明のプロジェクタは、画像データを入力し、前記画像データに応じた画像を投写するプロジェクタであって、前記画像データを入力する入力端子と、前記入力端子から入力した前記画像データを外部に出力可能な出力端子と、前記出力端子に信号が入力されていることを検知する第１の検波回路と、前記第１の検波回路による検知結果に応じて、前記入力端子と前記出力端子との電気的な接続状態を変更可能なスイッチとを備えたことを特徴とする。
【０００８】
このプロジェクタによれば、第１の検波回路によって出力端子への信号入力を検知するとともに、当該検知結果に応じて入力端子と出力端子との接続状態（導通及び切断）を変更可能であるため、出力端子に信号が入力しているときに、入力端子と出力端子とを電気的に接続しないようにすることが可能となる。この結果、信号の衝突及びこれに伴う周辺回路へのダメージを抑制することが可能となる。
【０００９】
このプロジェクタにおいて、前記入力端子に信号が入力されていることを検知する第２の検波回路を備え、前記スイッチは、前記第１及び第２の検波回路による検知結果に応じて、前記入力端子と前記出力端子との電気的な接続状態を変更することが望ましい。
【００１０】
このプロジェクタによれば、出力端子への信号入力を検知する第１の検波回路に加えて、入力端子への信号入力を検知する第２の検波回路を備えているため、入力端子に信号が入力さていないときは、入力端子と出力端子とを電気的に切断しておくことが可能となる。この結果、信号の衝突及びこれに伴う周辺回路へのダメージをさらに抑制することが可能となる。
【００１１】
このプロジェクタにおいて、前記第１の検波回路による検知結果に応じた通知を行う通知部を備えることが望ましい。
【００１２】
このプロジェクタによれば、第１の検波回路が出力端子への信号入力を検知したときに、通知部によって接続が誤っていることを示す通知を行うことが可能となる。これにより、ユーザは、誤接続であることを容易に認識することが可能となる。
【発明を実施するための最良の形態】
【００１３】
以下、本発明の実施形態に係るプロジェクタについて、図面を参照して説明する。図１は、本実施形態のプロジェクタの概略構成を示すブロック図である。
図１に示すように、プロジェクタ１は、制御部１０と、記憶部１１と、操作部１２と、インタフェイス（Ｉ／Ｆ）部１３と、画像処理部１４と、画像投写部１５と、発光ダイオード（Light Emitting Diode、以下、「ＬＥＤ」という。）１６と、ＬＥＤ駆動部１７とを備えている。
【００１４】
制御部１０は、前記各部１１〜１４，１７に接続されており、記憶部１１に記憶されている制御プログラムに従って、プロジェクタ１の動作を統括制御する。記憶部１１は、フラッシュＲＯＭ（Read Only Memory）等のメモリによって構成され、前記制御プログラムが記憶されるとともに、各種設定値等の一時記憶に用いられる。
【００１５】
操作部１２には、電源のオン・オフや、画質の調整等を行うための操作ボタン等が備えられている。ユーザが操作部１２を操作すると、操作部１２は、ユーザの操作内容に応じた操作信号を制御部１０に出力する。
【００１６】
インタフェイス部１３は、外部の画像供給装置ＰＣからケーブルを介して画像信号を入力するための入力端子と、当該画像信号を外部の画像表示装置ＭＮにケーブルを介して出力するための出力端子とを備えており、画像供給装置ＰＣから入力される画像信号を、画像処理部１４に出力するとともに、画像表示装置ＭＮへも出力可能になっている。
【００１７】
画像処理部１４は、インタフェイス部１３から入力した画像信号に、解像度変換やガンマ補正等の各種画像処理を施して、画像投写部１５に出力する。
【００１８】
画像投写部１５は、光源、液晶ライトバルブ等の光変調装置、投写レンズ等（いずれも図示せず）を含み、光源から射出した光は、光変調装置によって画像信号に応じて変調され、投写レンズからスクリーンＳＣ等に投写される。これにより、スクリーンＳＣ上に画像信号に応じた画像が表示される。
【００１９】
ＬＥＤ１６は、本発明の通知部として機能し、プロジェクタ１の外側に向けて発光可能に備えられている。ＬＥＤ駆動部１７は、制御部１０からの指示に基づいてＬＥＤ１６の発光状態を制御可能になっている。
【００２０】
ここで、インタフェイス部１３について、図面を参照して詳述する。図２は、プロジェクタ１と、画像供給装置ＰＣ及び画像表示装置ＭＮとの接続状態を示す説明図である。
図２に示すように、インタフェイス部１３は、入力端子Ｉｐｊと、出力端子Ｏｐｊと、２つの増幅回路Ａｐｊ１，Ａｐｊ２と、スイッチＳＷと、２つの検波回路２１，２２とを有している。入力端子Ｉｐｊは、画像供給装置ＰＣの出力端子ＯｐｃとケーブルＣ１を介して接続され、画像供給装置ＰＣから画像信号を入力するためのものであり、出力端子Ｏｐｊは、必要に応じて画像表示装置ＭＮの入力端子ＩｍｎにケーブルＣ２を介して接続され、画像供給装置ＰＣから入力された画像信号を画像表示装置ＭＮに出力可能になっている。
【００２１】
本実施形態では、前述した入力端子Ｉｐｊ，Ｉｍｎ及び出力端子Ｏｐｊ，Ｏｐｃとして、いずれも所謂ミニＤ−Ｓｕｂ１５ピンのメスコネクタが用いられており、ケーブルＣ１，Ｃ２には、両端にミニＤ−Ｓｕｂ１５ピンのオスコネクタが備えられたビデオケーブルが用いられる。なお、当該ビデオケーブルは、Ｒ、Ｇ、Ｂ毎のアナログの画像信号や、水平同期信号、垂直同期信号、接地電位等を個別の配線で授受するものであるが、図ではこれを省略し、ケーブルＣ１，Ｃ２を、それぞれ画像信号を伝達する１本の配線として示している。
【００２２】
画像供給装置ＰＣ内で生成された画像信号は、画像供給装置ＰＣ内の増幅回路Ａｐｃによって増幅された後、出力端子ＯｐｃからケーブルＣ１を介してプロジェクタ１の入力端子Ｉｐｊに入力する。ここで、ケーブルＣ１は、７５Ωの特性インピーダンスを有しているため、インタフェイス部１３の内部には、入力端子Ｉｐｊと接地電位との間に７５Ωの終端抵抗Ｒｐｊが備えられている。入力した画像信号は、増幅回路Ａｐｊ１によって増幅された後、画像処理部１４（図１参照）に出力され、画像投写部１５によってスクリーンＳＣ上に画像信号に応じた画像が表示される。
【００２３】
また、入力端子Ｉｐｊと出力端子Ｏｐｊとの間には、増幅回路Ａｐｊ２と、スイッチＳＷとが直列に接続されている。スイッチＳＷは、制御部１０によってオン（導通）とオフ（切断）とを切り替え可能になっており、スイッチＳＷがオンのとき、入力端子Ｉｐｊに入力した画像信号は、増幅回路Ａｐｊ２によって増幅された後、出力端子Ｏｐｊに伝達される。
【００２４】
さらに、画像信号は、出力端子ＯｐｊからケーブルＣ２を介して画像表示装置ＭＮの入力端子Ｉｍｎに入力し、増幅回路Ａｍｎで増幅された後、画像表示装置ＭＮの内部に出力されて画像表示装置ＭＮに画像信号に応じた画像が表示される。なお、画像表示装置ＭＮ内にも、入力端子Ｉｍｎと接地電位との間に、ケーブルＣ２の特性インピーダンス（７５Ω）に対応する終端抵抗Ｒｍｎ（７５Ω）が備えられている。
【００２５】
２つの検波回路２１，２２のうち、一方の検波回路２１は、本発明の第１の検波回路に相当するものであり、インタフェイス部１３の出力端子Ｏｐｊを往来する信号の有無を検知して、検知結果を制御部１０に伝達する。他方の検波回路２２は、本発明の第２の検波回路に相当するものであり、インタフェイス部１３の入力端子Ｉｐｊに入力される信号の有無を検知して、検知結果を制御部１０に伝達する。
【００２６】
次に、本実施形態のプロジェクタ１の動作について、図面を参照して説明する。図３は、検波回路２１，２２による信号検知に関わる動作を説明するフローチャートであり、図４は、プロジェクタ１に２台の画像供給装置が接続された状態を示す説明図である。プロジェクタ１は、電源が投入されて動作可能な状態になると、図３に示すフローに従って動作する。
【００２７】
まず、ステップＳ１１０では、制御部１０は、スイッチＳＷをオフにして入力端子Ｉｐｊと出力端子Ｏｐｊとを電気的に切断する。これにより、入力端子Ｉｐｊから入力される画像信号を検波回路２２で検知可能になるとともに、誤って出力端子Ｏｐｊから入力される画像信号を検波回路２１で検知することができる。
【００２８】
ステップＳ１２０では、制御部１０は、検波回路２１による検知結果に基づいて、出力端子Ｏｐｊに信号入力があるか否かを判断する。例えば、図４に示すように、入力端子Ｉｐｊに画像供給装置ＰＣ１が接続されるとともに、出力端子Ｏｐｊに誤って他の画像供給装置ＰＣ２が接続され、検波回路２１によって出力端子Ｏｐｊへの信号入力が検知された場合にはステップＳ１５０に移行する。一方、図２に示すように、出力端子Ｏｐｊに画像表示装置ＭＮが接続されている場合、或いは、いずれの機器も接続されていない場合のように出力端子Ｏｐｊへの信号入力が検知されない場合には、ステップＳ１３０に移行する。
【００２９】
ステップＳ１３０に移行した場合には、制御部１０は、検波回路２２による検知結果に基づいて、入力端子Ｉｐｊに信号入力があるか否かを判断する。信号入力があればステップＳ１４０に移行し、信号入力がなければステップＳ１２０に戻り、入力端子Ｉｐｊに信号入力があるまで、ステップＳ１２０，Ｓ１３０を繰り返す。
【００３０】
ステップＳ１４０に移行した場合には、制御部１０は、スイッチＳＷをオンにして、入力端子Ｉｐｊと出力端子Ｏｐｊとを導通させ、入力端子Ｉｐｊに入力される画像信号を出力端子Ｏｐｊに出力し、処理を終了する。これにより、出力端子Ｏｐｊに画像表示装置ＭＮが接続されている場合には、画像表示装置ＭＮに画像が表示されることとなる。
【００３１】
ステップＳ１２０において、出力端子Ｏｐｊへの信号入力が検知されステップＳ１５０に移行した場合には、制御部１０は、ＬＥＤ駆動部１７に指示をしてＬＥＤ１６を点滅動作させる。これにより、ユーザは、機器の接続状態が誤っていることを認識することが可能となる。その後、ステップＳ１２０に戻り、ユーザがケーブルＣ２を取り外すなどして出力端子Ｏｐｊへの信号入力が検知されなくなるまで、ＬＥＤ１６の点滅を繰り返す。
【００３２】
以上説明したように、本実施形態のプロジェクタ１によれば、以下の効果を得ることができる。
（１）本実施形態のプロジェクタ１によれば、検波回路２１によって出力端子Ｏｐｊへの信号入力を検知したときに、入力端子Ｉｐｊと出力端子Ｏｐｊとを電気的に接続しないようにしているため、異なる画像信号の衝突及びこれに伴う周辺回路（例えば、プロジェクタ１の増幅回路Ａｐｊ２や、画像供給装置ＰＣ１，ＰＣ２の増幅回路Ａｐｃ１，Ａｐｃ２等）へのダメージを抑制することが可能となる。
【００３３】
（２）本実施形態のプロジェクタ１によれば、検波回路２２によって入力端子Ｉｐｊへの信号入力を検知しないときは、入力端子Ｉｐｊと出力端子Ｏｐｊとを電気的に切断したままにしているため、異なる画像信号の衝突及びこれに伴う周辺回路へのダメージをさらに抑制することが可能となる。
【００３４】
（３）本実施形態のプロジェクタ１によれば、検波回路２１によって出力端子Ｏｐｊへの信号入力を検知したときに、ＬＥＤ１６を点滅するようにしているため、機器の接続状態が誤っていることを容易に認識することが可能となる。
【００３５】
（変形例）
なお、本発明の実施形態は、以下のように変更してもよい。
・前記実施形態では、機器の接続状態が誤っていることを通知する通知部として、ＬＥＤ１６を用いているが、通知部はＬＥＤ１６に限られず、他の表示手段や、プロジェクタ１の投写画像によってその旨を通知するようにしてもよい。或いは、通知部としてブザーやスピーカ等を備え、音声によって誤接続を通知するようにしてもよい。
【００３６】
・前記実施形態において、スイッチＳＷの種類や形態は特に限定されず、アナログスイッチやリレー等、各種スイッチ素子やスイッチ回路等を用いることができる。
【００３７】
・前記実施形態では、入力端子Ｉｐｊへの信号入力を検知する検波回路２２を備えているが、検波回路２２を備えない場合においても、検波回路２１によって出力端子Ｏｐｊへの信号入力を検知しない場合のみにスイッチＳＷをオンにすることで、信号の衝突及びこれに伴う周辺回路へのダメージを抑制することが可能となる。
【００３８】
・前記実施形態のインタフェイス部１３は、プロジェクタに限られず、他の映像機器や音響機器等、様々な電子機器に適用可能である。
【図面の簡単な説明】
【００３９】
【図１】実施形態に係るプロジェクタの概略構成を示すブロック図。
【図２】プロジェクタと、画像供給装置及び画像表示装置との接続状態を示す説明図。
【図３】検波回路による信号検知に関わる動作を説明するフローチャート。
【図４】プロジェクタに２台の画像供給装置が接続された状態を示す説明図。
【符号の説明】
【００４０】
１…プロジェクタ、１０…制御部、１１…記憶部、１２…操作部、１３…インタフェイス部、１４…画像処理部、１５…画像投写部、１６…通知部としての発光ダイオード（ＬＥＤ）、１７…ＬＥＤ駆動部、２１，２２…検波回路、ＳＷ…スイッチ、ＰＣ，ＰＣ１，ＰＣ２…画像供給装置、ＭＮ…画像表示装置、Ｉｐｊ…入力端子、Ｏｐｊ…出力端子、Ａｐｊ１，Ａｐｊ２…増幅回路、Ｒｐｊ…終端抵抗、Ｃ１，Ｃ２…ケーブル、ＳＣ…スクリーン。
【図１】
2006201223.tif 000003
【図２】
2006201223.tif 000004
【図３】
2006201223.tif 000005
【図４】
2006201223.tif 000006